(57)【要約】【課題】構成の簡単な根太用防振取付構造を提供する。【解決手段】根太用防振取付構造Ｓは、嵌合孔４１ａが形成され且つ根太２に連結される根太用連結部４１を有し、躯体１の側面に固定され、根太２を受ける根太受け部材４と、嵌合孔４１ａに嵌合される防振部材５と、を備える。防振部材５は、根太用連結部４１を根太２に連結するための根太用ビスＶ２が挿通される内筒部５１と、内筒部５１の外周面に設けられたゴム弾性部５２とを有する。【選択図】図１
2019210687.tif 000002
【特許請求の範囲】
【請求項１】
根太を躯体に取り付ける根太用防振取付構造であって、
嵌合孔が形成され且つ前記根太に連結される根太用連結部を有し、前記躯体の側面に連結され、前記根太を受ける根太受け部材と、
前記嵌合孔に嵌合される防振部材と、を備え、
前記防振部材は、前記根太用連結部を前記根太に連結するための連結部材が挿通される内筒部と、前記内筒部の外周面に設けられたゴム弾性部とを有する
根太用防振取付構造。
【請求項２】
根太を躯体に取り付ける根太用防振取付構造であって、
嵌合孔が形成され且つ前記躯体の側面に連結される躯体用連結部を有し、前記根太に連結され、前記根太を受ける根太受け部材と、
前記嵌合孔に嵌合される防振部材と、を備え、
前記防振部材は、前記躯体用連結部を前記躯体に連結するための連結部材が挿通される内筒部と、前記内筒部の外周面に設けられたゴム弾性部とを有する
根太用防振取付構造。
【請求項３】
根太を躯体に取り付ける根太用防振取付構造であって、
挿通孔が形成され且つ前記根太に連結される根太用連結部を有し、前記躯体の側面に連結され、前記根太を受ける根太受け部材と、
前記根太における前記挿通孔に対応する部分に埋設される防振部材と、を備え、
前記防振部材は、前記挿通孔に挿通され且つ前記根太用連結部を前記根太に連結するための連結部材が挿通される内筒部と、前記内筒部の外周面に設けられたゴム弾性部とを有する
根太用防振取付構造。
【請求項４】
請求項３において、
前記防振部材は、前記内筒部の周囲に設けられた外筒部をさらに有し、前記ゴム弾性部が、前記内筒部と前記外筒部との間に設けられ、両者を互いに連結する根太用防振取付構造。
【請求項５】
請求項１〜４のいずれか１つにおいて、
前記根太受け部材は、前記根太の幅方向両外側にその幅方向に対向するようにそれぞれ設けられ且つ前記根太の側面に連結される一対の根太用連結部と、前記両根太用連結部の下端部を互いに連結し且つ前記根太を受ける受部と、前記各根太用連結部における前記躯体側の端部に前記根太の幅方向外側に延びるように設けられ且つ前記躯体の側面に連結される一対の躯体用連結部とを有する根太用防振取付構造。
【請求項６】
請求項５において、
前記根太の下面と前記受部との間には、ゴム弾性体が設けられている根太用防振構造。
【発明の詳細な説明】
【技術分野】
【０００１】
本発明は、根太用防振取付構造に関するものである。
【背景技術】
【０００２】
従来より、建築物において根太を周囲材（躯体）に対して防振状態に取り付けた取付構造が知られている。例えば、特許文献１には、躯体の側面に連結されるベース金具と、ベース金具の上側に設けられ根太の端部を受ける根太金具と、ベース金具及び根太金具を連結するゴム弾性体とからなる防振取付金具を用いた取付構造が開示されている。
【先行技術文献】
【特許文献】
【０００３】
【特許文献１】特開２０１８−３５６１号公報
【発明の概要】
【発明が解決しようとする課題】
【０００４】
しかし、前記従来の特許文献１の防振取付金具では、根太を受ける部材である根太金具は、躯体の側面に連結されるベース金具とは独立した別部材であり、防振のためのゴム弾性体が両部材を連結することによって根太金具は間接的に躯体に取り付けられているため、構成が複雑である。
【０００５】
本発明は、斯かる点に鑑みてなされたものであり、その目的は、構成の簡単な根太用防振取付構造を提供することである。
【課題を解決するための手段】
【０００６】
前記の目的を達成するために、この発明では、根太受け部材の嵌合孔に、根太に連結される内筒部とその内筒部の外周面に設けられたゴム弾性部とを有する防振部材を嵌合させてなる構成とした。
【０００７】
具体的に、第１の発明は、根太を躯体に取り付ける根太用防振取付構造であって、嵌合孔が形成され且つ前記根太に連結される根太用連結部を有し、前記躯体の側面に連結され、前記根太を受ける根太受け部材と、前記嵌合孔に嵌合される防振部材と、を備え、前記防振部材は、前記根太用連結部を前記根太に連結するための連結部材が挿通される内筒部と、前記内筒部の外周面に設けられたゴム弾性部とを有することを特徴とする。
【０００８】
この第１の発明は、根太を受ける根太受け部材が躯体の側面に連結されるので、根太を受ける部材と躯体の側面に連結される部材とが独立した別部材である場合と比較して、構成が簡単である。また、防振部材は、根太受け部材の嵌合孔に嵌合し、根太に連結される内筒部とその内筒部の外周面に設けられたゴム弾性部を有するので、根太受け部材は、根太を防振支持した状態で躯体に取り付けることができる。従って、第１の発明によれば、簡単な構成の根太用防振取付構造が得られる。
【０００９】
第２の発明は、根太を躯体に取り付ける根太用防振取付構造であって、嵌合孔が形成され且つ前記躯体の側面に連結される躯体用連結部を有し、前記根太に連結され、前記根太を受ける根太受け部材と、前記嵌合孔に嵌合される防振部材と、を備え、前記防振部材は、前記躯体用連結部を前記躯体に連結するための連結部材が挿通される内筒部と、前記内筒部の外周面に設けられたゴム弾性部とを有することを特徴とする。
【００１０】
この第２の発明は、根太を受ける根太受け部材が躯体の側面に連結されるので、第１の発明と同様に、構成が簡単である。また、防振部材は、根太受け部材の嵌合孔に嵌合し、躯体に連結される内筒部とその内筒部の外周面に設けられたゴム弾性部とを有するので、根太受け部材は、防振状態で躯体に連結した状態で根太を躯体に取り付けることができる従って、第２の発明によれば、簡単な構成の根太用防振取付構造が得られる。
【００１１】
第３の発明は、根太を躯体に取り付ける根太用防振取付構造であって、挿通孔が形成され且つ前記根太に連結される根太用連結部を有し、前記躯体の側面に連結され、前記根太を受ける根太受け部材と、前記根太における前記挿通孔に対応する部分に埋設される防振部材と、を備え、前記防振部材は、前記挿通孔に挿通され且つ前記根太用連結部を前記根太に連結するための連結部材が挿通される内筒部と、前記内筒部の外周面に設けられたゴム弾性部とを有することを特徴とする。
【００１２】
この第３の発明は、根太を受ける根太受け部材が躯体の側面に連結されるので、第１及び第２の発明と同様に、構成が簡単である。また、防振部材は、根太に埋設され、根太受け部材の挿通孔に挿通され且つ根太用連結部を根太に連結するための連結部材が挿通される内筒部と、この内筒部の外周面に設けられたゴム弾性体とを有するので、根太受け部材は、根太を防振支持した状態で躯体に取り付けることができる。従って、第３の発明によれば、簡単な構成の根太用防振取付構造が得られる。
【００１３】
第４の発明は、第３の発明において、前記防振部材は、前記内筒部の周囲に設けられた外筒部をさらに有し、前記ゴム弾性部が、前記内筒部と前記外筒部との間に設けられ、両者を互いに連結することを特徴とする。
【００１４】
この第４の発明によれば、防振部材は外筒部を有し、ゴム弾性部が内筒部と外筒部との間に設けられるので、防振部材を根太に埋設させやすく、根太用防振取付構造を簡単に組み立てることができる。
【００１５】
第５の発明は、第１〜第４の発明のいずれか１つにおいて、前記根太受け部材は、前記根太の幅方向両外側にその幅方向に対向するようにそれぞれ設けられ且つ前記根太の側面に連結される一対の根太用連結部と、前記両根太用連結部の下端部を互いに連結し且つ前記根太を受ける受部と、前記各根太用連結部における前記躯体側の端部に前記根太の幅方向外側に延びるように設けられ且つ前記躯体の側面に連結される一対の躯体用連結部とを有することを特徴とする。
【００１６】
この第５の発明によれば、根太受け部材は、根太の幅方向両外側にその幅方向に対向するようにそれぞれ設けられた一対の根太用連結部で根太に連結し、両根太用連結部の下端部を互いに連結する受部で根太を受けるので、根太を安定して躯体に取り付けることができる。
【００１７】
第６の発明は、第５の発明において、前記根太の下面と前記受部との間には、ゴム弾性体が設けられていることを特徴とする。
【００１８】
この第６の発明によれば、根太の下面と受部との間には、ゴム弾性体が設けられているので、防振の効果を更に高めることができる。
【発明の効果】
【００１９】
以上説明したように、本発明によると、簡単な構成の根太用防振取付構造が得られる。
【図面の簡単な説明】
【００２０】
【図１】本発明の実施形態１に係る根太用防振取付構造の斜視図である。
【図２】実施形態１に係る根太用防振取付構造を前後方向から見た垂直断面図である。
【図３】実施形態１に係る根太用防振取付構造を左右方向から見た垂直断面図である。
【図４】実施形態２に係る根太用防振取付構造の図１相当図である。
【図５】実施形態２に係る根太用防振取付構造の図３相当図である。
【図６】実施形態３に係る根太用防振取付構造の図１相当図である。
【図７】実施形態３に係る根太用防振取付構造の図２相当図である。
【発明を実施するための形態】
【００２１】
以下、本発明の実施形態を図面に基づいて詳細に説明する。以下の好ましい実施形態の説明は、本質的に例示に過ぎず、本発明、その適用物或いはその用途を制限することを意図するものではない。
【００２２】
（実施形態１）
−根太用防振取付構造−
図１は、本発明の実施形態１に係る根太用防振取付構造Ｓを示している。
【００２３】
本実施形態に係る根太用防振取付構造Ｓは、例えば、枠組工法（２×４工法）により建てられる２階建て住宅等の建物の天井において、根太２を躯体１に対して防振状態で取り付ける構造である。根太用防振取付構造Ｓは、建物の１階部分及び２階部分の間に配置される躯体１と、複数の根太２，２，…と、各根太２の両端部を躯体１に取り付ける取付部材３とからなる。なお、以下の説明では、根太２の幅方向を左右方向と、根太２の長手方向の躯体１側を前後方向前側と、その長手方向の躯体１とは反対側を前後方向後側ということもある。
【００２４】
図２及び図３は、根太用防振取付構造Ｓの断面を示している。取付部材３は、根太受け部材４と防振部材５とを備えている。
【００２５】
−根太受け部材−
根太受け部材４は、躯体１の側面に連結されており、根太２を受けるためのものである。根太受け部材４は、図２及び図３に示すように、上側に開口する断面Ｕ字状のもので、鉄板等の金属板材のプレス成形で製造された金具である。
【００２６】
根太受け部材４は、根太２の幅方向両外側（左右方向外側）にその幅方向に対向するようにそれぞれ設けられ且つ根太２の側面に連結された左右一対の根太用連結部４１，４１と、この両根太用連結部４１，４１の下端部を互いに連結し且つ根太２を受ける受部４２と、各根太用連結部４１における躯体１側の端部（前端部）に根太２の幅方向外側（左右方向外側）に延びるように設けられ且つ躯体１の側面に固定された左右一対の躯体用連結部４３，４３とを有している。これらの根太用連結部４１，４１、受部４２及び躯体用連結部４３，４３は、互いに一体に成形されている。
【００２７】
根太用連結部４１，４１は、互いに平行に固定されている。根太用連結部４１，４１は、矩形状に形成されている。各根太用連結部４１の幅方向（前後方向）の略中央部には、後述する防振部材５が嵌合される２つの嵌合孔４１ａ，４１ａが上下に並んで貫通形成されている。
【００２８】
受部４２は、矩形状に形成されている。受部４２と根太２の下面との間には、ゴム弾性体４２ａが設けられている。このゴム弾性体４２ａは、受部４２の上面に接着固定されている。これによって、受部４２は、ゴム弾性体４２ａが根太２と接触した状態で、根太２を受けている。なお、ゴム弾性体４２ａには複数の溝（図示しない）が形成されており、この溝によってゴム弾性体４２ａは全体として柔らかく（撓みやすく）なっている。
【００２９】
各躯体用連結部４３は、対応する根太用連結部４１と垂直をなしている。各躯体用連結部４３は、矩形状に形成されている。各躯体用連結部４３の幅方向（左右方向）の中央部には、３つのビス挿通孔４３ａ，４３ａ，４３ａが上下に並んで貫通形成されている。根太受け部材４は、各ビス挿通孔４３ａに躯体用ビスＶ１（連結部材）を挿通させて、その躯体用ビスＶ１を躯体１にねじ込んで締結することにより、固定されている。
【００３０】
−防振部材−
防振部材５は、根太受け部材４を根太２に連結するためのものである。防振部材５は、根太受け部材４の根太用連結部４１，４１の各嵌合孔４１ａに嵌合固定されている。
【００３１】
防振部材５は、根太用連結部４１，４１を根太２に連結するための根太用ビスＶ２（連結部材）が挿通される円筒状の金属製内筒部５１と、この内筒部５１の外周面に設けられた円筒状のゴム弾性部５２とを有している。このゴム弾性部５２は、内筒部５１の外周面を覆うように内筒部５１と一体に成形されている。
【００３２】
各ゴム弾性部５２は、円筒状の本体部５２ａと、この本体部５２ａの根太２側の端部に径方向外側に延出する円形鍔状の第１延出部５２ｂと、本体部５２ａの根太２とは反対側の端部に径方向外側に延出する円形鍔状の第２延出部５２ｃとを有している。
【００３３】
本体部５２ａの外径は、嵌合孔４１ａの孔径よりも小さい。第１延出部５２ｂ及び第２延出部５２ｃの外径は、それぞれ嵌合孔４１ａの孔径よりも大きい。第２延出部５２ｃの外径は、第１延出部５２ｂの外径よりも大きい。第１延出部５２ｂは、その外径が根太２側に行くに従って徐々に小さくなるようにテーパ状に形成されている。
【００３４】
各ゴム弾性部５２は、第１延出部５２ｂ及び第２延出部５２ｃが嵌合孔４１ａの周縁部を挟み込んだ状態で、本体部５２ａが嵌合孔４１ａに挿通されている。
【００３５】
なお、防振部材５，５，…を嵌合孔４１ａに嵌合させ且つ根太２に固定したとき、左右の根太用ビスＶ２，Ｖ２同士が根太２の内部で互いにぶつからないように、左右の根太用連結部４１，４１における嵌合孔４１ａ，４１ａ，…は、上下方向の位置が互いにずれて形成されている（図２参照）。
【００３６】
（効果）
以上より、本実施形態によれば、根太２を受ける根太受け部材４が躯体１の側面に連結されるので、根太２を受ける部材と躯体１の側面に連結される部材とが独立した別部材である場合と比較して、構成が簡単である。また、防振部材５は、根太受け部材４の嵌合孔４１ａに嵌合し、根太２に固定される内筒部５１とその内筒部５１の外周面に設けられたゴム弾性部５２を有するので、根太受け部材４は、根太２を防振支持した状態で躯体１に取り付けることができる。従って、簡単な構成の根太用防振取付構造Ｓが得られる。
【００３７】
また、根太受け部材４は、根太２の幅方向両外側にその幅方向に対向するようにそれぞれ設けられた一対の根太用連結部４１，４１で根太２を連結し、両根太用連結部４１，４１の下端部を互いに連結する受部４２で根太２を受けるので、根太２を安定して躯体１に取り付けることができる。
【００３８】
また、根太２の下面と受部４２との間には、ゴム弾性体４２ａが設けられているので、防振の効果を更に高めることができる。
【００３９】
（実施形態２）
本実施形態は、根太受け部材４の根太用連結部４１，４１及び躯体用連結部４３，４３の構成や防振部材５の配置位置が実施形態１と異なっているが、その他の点については、実施形態１と同様の構成である。以下の説明では、実施形態１の構成要素と同様の構成要素については、重複説明を省略する場合がある。
【００４０】
図４は、本実施形態に係る根太用防振取付構造Ｓを示している。
【００４１】
各根太用連結部４１には、その幅方向（前後方向）の略中央部に２つのビス挿通孔４１ｂ，４１ｂが上下に並んで貫通形成されている。根太受け部材４は、各ビス挿通孔４１ｂに根太用ビスＶ２を挿通させて、その根太用ビスＶ２を根太２の側面にねじ込んで締結することにより、固定されている。
【００４２】
図５は、根太用防振取付構造Ｓの断面を示している。
【００４３】
各躯体用連結部４３には、その幅方向（左右方向）の中央部に防振部材５が嵌合するための２つの嵌合孔４３ｂ，４３ｂが上下に並んで貫通形成されている。
【００４４】
防振部材５は、根太受け部材４を躯体１に連結するためのものである。防振部材５は、根太受け部材４の躯体用連結部４３，４３の各嵌合孔４３ｂに嵌合固定されている。
【００４５】
各ゴム弾性部５２は、円筒状の本体部５２ａと、この本体部５２ａの躯体１側の端部に径方向外側に延出する円形鍔状の第１延出部５２ｂと、本体部５２ａの躯体１とは反対側の端部に径方向外側に延出する円形鍔状の第２延出部５２ｃとを有している。
【００４６】
本体部５２ａの外径は、嵌合孔４３ｂの孔径よりも小さい。第１延出部５２ｂ及び第２延出部５２ｃの外径は、それぞれ嵌合孔４３ｂの孔径よりも大きい。第２延出部５２ｃの外径は、第１延出部５２ｂの外径よりも大きい。第１延出部５２ｂは、その外径が躯体１側に行くに従って徐々に小さくなるようにテーパ状に形成されている。
【００４７】
各ゴム弾性部５２は、第１延出部５２ｂ及び第２延出部５２ｃが嵌合孔４３ｂの周縁部を挟み込んだ状態で、本体部５２ａが嵌合孔４３ｂに挿通されている。
【００４８】
（効果）
以上より、本実施形態によれば、根太２を受ける根太受け部材４が躯体１の側面に連結されるので、実施形態１と同様に、構成が簡単である。また、防振部材５は、根太受け部材４の嵌合孔４３ｂに嵌合し、躯体１に固定される内筒部５１とその内筒部５１の外周面に設けられたゴム弾性部５２とを有するので、根太受け部材４は、防振状態で躯体１に連結した状態で根太２を躯体１に取り付けることができる。従って、簡単な構成の根太用防振取付構造Ｓが得られる。
【００４９】
（実施形態３）
本実施形態は、根太２、根太受け部材４の根太用連結部４１，４１及び防振部材５の構成や防振部材５の配置位置が実施形態１と異なっているが、その他の点については、実施形態１と同様の構成である。以下の説明では、実施形態１の構成要素と同様の構成要素については、重複説明を省略する場合がある。
【００５０】
図６は、本発明の実施形態３に係る根太用防振取付構造Ｓを示している。図７は、根太用防振取付構造Ｓの断面を示している。
【００５１】
各根太用連結部４１の略中央部には、後述する六角ボルトが挿通されるための挿通孔４１ｃが貫通形成されている。
【００５２】
防振部材５は、根太２における根太受け部材４の挿通孔４１ｃに対応する部分に埋設されている。すなわち、根太２における挿通孔４１ｃに対応する部分には、防振部材５が内挿される貫通孔２ａがその幅方向（左右方向）に貫通形成されている。貫通孔２ａは、根太２の両側面の根太用連結部４１，４１の挿通孔４１ｃ，４１ｃと略同じ位置に開口するように形成されている。
【００５３】
防振部材５は、挿通孔４１ｃ，４１ｃに挿通され且つ根太用連結部４１，４１を根太２に連結するための六角ボルトＢ（連結部材）が挿通される内筒部５１と、内筒部５１の外周囲に内筒部５１と同軸に設けられた円筒状の外筒部５３と、内筒部５１と外筒部５３との間に設けられ両者５１，５３を互いに連結するゴム弾性部５２とを有している。内筒部５１の軸方向の長さは、根太用連結部４１，４１間の距離と同じである。外筒部５３及びゴム弾性部５２の軸方向の長さは、根太２の幅と同じ長さである。外筒部５３、ゴム弾性部５２、及び内筒部５１は、一体のまま、貫通孔２ａに圧入されている。
【００５４】
六角ボルトＢは、根太用連結部４１，４１のうち一方側（図７では右側）の根太用連結部４１の挿通孔４１ｃから挿入された後に、内筒部５１に挿通され、その先端部を他方側の根太用連結部４１の挿通孔４１ｃから突出させている。六角ボルトＢの先端部には、ナットＮが螺合締結されている。
【００５５】
（効果）
以上より、本実施形態によれば、根太２を受ける根太受け部材４が躯体１の側面に連結されるので、実施形態１及び２と同様に、構成が簡単である。また、防振部材５は、根太２に埋設され、根太受け部材４の挿通孔４１ｃ，４１ｃに挿通され且つ根太に連結するための六角ボルトＢが挿通される内筒部５１と、この内筒部５１の外周面に設けられたゴム弾性部５２とを有するので、根太受け部材４は、根太２を防振支持した状態で躯体１に取り付けることができる。従って、本実施形態によれば、簡単な構成の根太用防振取付構造Ｓが得られる。
【００５６】
また、防振部材５は外筒部５３を有し、ゴム弾性部５２が内筒部５１と外筒部５３との間に設けられるので、防振部材５を根太２に埋設させやすく、根太用防振取付構造Ｓを簡単に組み立てることができる。
【００５７】
なお、本実施形態では、防振部材５が外筒部５３を有するが、有しなくてもよい。
【産業上の利用可能性】
【００５８】
本発明は、根太用防振取付構造として、極めて有用である。
【符号の説明】
【００５９】
Ｓ      根太用防振取付構造
１      躯体
２      根太
２ａ    貫通孔
３      取付部材
４      根太受け部材
４１    根太用連結部
４１ａ  嵌合孔
４１ｂ  ビス挿通孔
４１ｃ  挿通孔
４２    受部
４２ａ  ゴム弾性体
４３    躯体用連結部
４３ａ  ビス挿通孔
４３ｂ  嵌合孔
５      防振部材
５１    内筒部
５２    ゴム弾性部
５２ａ  本体部
５２ｂ  第１延出部
５２ｃ  第２延出部
５３    外筒部
Ｖ１    躯体用ビス（連結部材）
Ｖ２    根太用ビス（連結部材）
Ｂ      六角ボルト（連結部材）
Ｎ      ナット
【図１】
2019210687.tif 000003
【図２】
2019210687.tif 000004
【図３】
2019210687.tif 000005
【図４】
2019210687.tif 000006
【図５】
2019210687.tif 000007
【図６】
2019210687.tif 000008
【図７】
2019210687.tif 000009